(57)【要約】【課題】  簡単な構成で簡便な放出点検を行う。【解決手段】  消火栓弁と、該消火栓弁の二次側に設けられ、先端部にノズルを有する消火用ホースとを備えた消火栓装置であって、前記消火栓弁の二次側に、前記消火用ホースが接続される接続部を有し、該接続部から消火用ホースを外すとともに、該接続部に放出点検装置を接続し、該放出点検装置により前記消火栓装置の放出点検を行うものである。接続部において、消火用ホースを切り離し、そこに放出点検装置を接続することで、簡単な構成で簡便な放出点検を行うことができる。【選択図】  図１
2007275479.tif 000002
【特許請求の範囲】
【請求項１】
消火栓弁と、該消火栓弁の二次側に設けられ、先端部にノズルを有する消火用ホースとを備えた消火栓装置における放出点検方法であって、前記消火栓弁の二次側に、前記消火用ホースが接続される接続部を有し、該接続部から消火用ホースを外すとともに、該接続部に放出点検装置を接続し、該放出点検装置により前記消火栓装置の放出点検を行うことを特徴とする消火栓装置における放出点検方法。
【請求項２】
消火栓弁と、該消火栓弁の二次側に設けられ、先端部にノズルを有する消火用ホースとを備えた消火栓装置における放出点検方法であって、前記消火栓弁の二次側から前記消火用ホースが収納されているホースバケットの間のホースに着脱部を設けて、該着脱部において、前記ホースバケット側の消火用ホースを外すとともに、該着脱部に放出点検装置を接続し、該放出点検装置により前記消火栓装置の放出点検を行うことを特徴とする消火栓装置における放出点検方法。
【請求項３】
消火栓弁と、該消火栓弁の二次側に設けられ、先端部にノズルを有する消火用ホースとを備えた消火栓装置であって、前記消火栓弁の二次側から前記消火用ホースが収納されているホースバケットの間のホースに着脱部を設けて、該着脱部において、前記ホースバケット側の消火用ホースを外すとともに、該着脱部に放出点検装置を接続できることを特徴とする消火栓装置。
【発明の詳細な説明】
【技術分野】
【０００１】
この発明は、例えばトンネル等に設備される消火栓装置の、その放出圧及び放出量等を点検するための放出点検方法に関するものである。
【背景技術】
【０００２】
例えばトンネル等に設備される消火栓装置は、一般に基端部が消火剤供給源に連結され、先端部にノズルを有する消火用ホースを備えており、この消火用ホースを介してノズルより放出される消火剤により発生した火災を消火する如く用いられるものである。
【０００３】
このような消火栓装置において、消火栓装置が所定の放出機能及び放出性能を保持しているか否か、例えば消火用ホースを介してノズルより放出される消火剤の放出圧及び放出量が所定値を満たしているか否かを点検する場合に、従来においては、圧力計をノズル手前に接続し、消火用ホースの全てが巻き込まれている状態、即ち引き出し量が０ｍの状態で、或いは火災発生時の使用状態通り消火用ホースを引き出した状態で、ノズルより放出される消火剤の放出圧を計測することにより点検をしていた。
【０００４】
このような、放出点検作業後の復旧作業を容易にし、それに要する作業時間を短くすることを目的として、消火栓弁と、該消火栓弁の二次側に設けられ、先端部にノズルを有する消火用ホースとを備えた消火栓装置における放出点検方法であって、該消火用ホースの一次側に設けられた三方切替弁により、該三方切替弁の二次側流路を該消火用ホース側流路から該放出点検装置側流路に切り替えて、該放出点検装置により該消火栓装置の放出点検を行う放出点検方法がある（特許文献１参照）。
【特許文献１】特開２００１−０９５９３９号公報
【発明の開示】
【発明が解決しようとする課題】
【０００５】
上記のような消火栓装置では、放出点検を行うために、三方切替弁を設置する必要があり、構成機器が増え、そのスペースを必要としてしまう。
【０００６】
そのため、この発明では、余分な機器を必要せず、簡単な構成で簡便な放出点検を行うことを目的とする。
【課題を解決するための手段】
【０００７】
この発明は、消火栓弁と、該消火栓弁の二次側に設けられ、先端部にノズルを有する消火用ホースとを備えた消火栓装置であって、前記消火栓弁の二次側に、前記消火用ホースが接続される接続部を有し、該接続部から消火用ホースを外すとともに、該接続部に放出点検装置を接続し、該放出点検装置により前記消火栓装置の放出点検を行うことを特徴とするものである。
【０００８】
また、別の発明は、消火栓弁と、該消火栓弁の二次側に設けられ、先端部にノズルを有する消火用ホースとを備えた消火栓装置であって、前記消火栓弁の二次側から前記消火用ホースが収納されているホースバケットの間のホースに着脱部を設けて、該着脱部において、前記ホースバケット側の消火用ホースを外すとともに、該着脱部に放出点検装置を接続し、該放出点検装置により前記消火栓装置の放出点検を行うことを特徴とするものである。
【発明の効果】
【０００９】
接続部あるいは着脱部において、消火用ホースを切り離し、そこに放出点検装置を接続することで、簡単な構成で簡便な放出点検を行うことができる。このとき、特別な機器を使用しないので、余分なスペースを使わず、コストアップにもならない。
【発明を実施するための最良の形態】
【００１０】
実施の形態１
図１は、この発明を利用する一実施形態の正面図、図２は、図１の平面図、図３は、図１の側面図である。
【００１１】
図において、この実施形態の消火栓装置は、消火用ホースを内巻きに収納してなる、いわゆる内巻式の消火栓装置であり、例えばトンネルの内壁に埋設されて設置される。
【００１２】
このような、消火栓装置の本体は、強固な断面Ｌ字状の補強部材を組み合わせた枠状のフレーム１０と、その前面に前面パネル２１が設置され、その中に、先端に消火用のノズル６０を有するホース５、そのホース５を内巻き式に収納するホースバケット１２、自動調圧弁２、消火栓弁３、給水栓４等を備えている。なお、自動調圧弁２の二次側と、ホース５の付根部５ａとは、いわゆるマチノ継手による接続部２ｂに構成されている。
【００１３】
フレーム１０は、図４に概略形状を示すように、箱体の枠となるような形状であり、上側の水平部１０ａの左右にそれぞれ垂直に引き降ろした固定部１０ｂ、ｃが配置され、また、各固定部１０ｂ、ｃから奥側に向かってそれぞれ足部１０ｄ、ｅが配置されて、さらに、両足部１０ｄ、ｅをつなぐように、水平方向の底部１０ｆが形成されている。なお、逆Ｌ字状の固定部１０ｇは、消火栓弁３等の固定用に形成されている。
【００１４】
このフレーム１０には、ホースバケット１２が一体化されている。本体の上面側から下面側まで至るような２本の棒状体１２ａ、ｂと、その２本の棒状体１２ａ、ｂの背面側に配置される一枚板で左右両側が略コ字状に折り曲げられて２本の棒状体１２ａ、ｂに至る帯体１２ｃとが設けられ、同様に上側に形成された板状の上面部１２ｄと、２本の棒状体１２ａ、ｂの下端部からフレーム１０の底部１０ｆにつなげる２本のフレームによる底面部１２ｅからなり、２本の棒状体１２ａ、ｂの間がホース５を引き出す開口部１２ｇとなっている。このような２本の棒状体１２ａ、ｂの各上端部は、上面部１２ｄが結合されるとともに、フレーム１０の水平部１０ａへ、連結部１２ｈ、ｉによって結合されており、支柱の役割にもなるので、フレーム１０の箱形状を保持することを補強することにもなっている。
【００１５】
ホースバケット１２は、ホース５を内巻式に収納し、帯板１２ｃの背面側から、底面部１２ｅ、帯板１２ｃの左側面、板状の上面部１２ｄおよび帯板１２ｃの右側面と当接しながら巻き付けられ、４隅の形状を整えながら、巻き付けられる。この収納作業は、前面パネル２１を外して行うことができ、ホースバケット１２を完全に露出して収納作業を行うことができる。このホースバケット１２に収納されるホース５は、接続部２ａからのホース５の付根部５ａから連続している
また、ホースバケット１２の連結部１２ｈ、ｉには、運搬時に本体を吊り上げられるように、吊りボルト１２ｊ、ｋが設けられ、フレーム１０全体の強度を保持しながら、持ち上げられるようになっている。また、このフレーム１０は、設置面への固定部材となる架台１１の上に取り付けられる。
【００１６】
前面パネル２１は、図１に示されるように、扉が設けられる開口を２ヶ所に備えた板状体であり、各開口にはそれぞれ前傾扉１４と消火器扉２６とが設けられている。この前面パネル２１の左右において、フレーム１０の固定部１０ｂ、ｃに相当する部分、計６ヶ所でボルト締めのボルト２１ｂが見えている。前面パネル２１の各ボルト２１ｂの位置に、詳細に示さないが、取付穴がそれぞれ形成されていて、相当するフレーム１０の固定部１０ｂ、ｃにも、詳細に示さないが、取付穴が形成されてナットが固定されている。なお、ボルト締めの個数は６ヶ所に限らず、４ヶ所等必要に応じた個数に増減できる。
【００１７】
また、前面パネル２１の補強として、ホースバケット１２の帯板１２ｃに一端を溶接した板状の固定部材２８が設けられ、前面パネル２１の２ヶ所の開口間を押さえるためのボルト２１ｄが設けられている。このボルト２１ｄによって、前面パネル２１の中央部が固定部材２８を介してフレーム１０側と固定されている。
【００１８】
前傾扉１４は、前面パネル２１に対して、下方を蝶番１４ａで結合した手前に回動する扉であり、この前傾扉１４の開閉機構については、開放の際には、扉前面中央部分のハンドル４３を手前に引くことで開放できる。すなわち、この前傾扉１４はマグネット式に磁力で閉状態を維持しており、ハンドル４３を手前に引くことにより、磁力による結合を解き、前傾方向に回動し、開口部を開放する。
【００１９】
この前傾扉１４は、前傾方向への回動により全開し、前面パネル２１の表面に配置されたあたり部２１ｃに当接するまで、垂れ下がるような状態となる。この前傾扉１４は、ただ扉としての機能のみで、開閉レバーやラッチ機構が設けられることもなく、軽量かつ簡素であることから、蝶番１４ａやマグネット式の開閉機構で十分である。そして、前面パネル２１における前傾扉１４が設けられる開口の位置は、その下方に前傾扉１４が垂れ下がれるエリアが必要であり、前傾扉１４は、前面パネル２１の縦方向の中央部分であるとともに、前傾扉１４の縦方向の幅とほぼ同等の高さ以上に配置されている。なお、前傾扉１４の位置を、必要以上に高い位置に設けると、操作性が悪くなってしまう。
【００２０】
あたり部２１ｃは、前傾扉１４が前面パネル２１に接触することによるいずれかの破損を防止するものであり、ゴムなどの弾性体で形成されている。このように、前傾扉１４は必ずしも完全に垂れ下がらないので、前面パネル２１に対する前傾扉１４の取付け高さは前傾扉１４の幅より若干短くてもよい。また、前面パネル２１の下方に架台１１が設けられるので、取付け高さはその架台１１の高さを含めることができる。
【００２１】
このように開放される前傾扉１４の内側にはホースバケット１２に収納されたホース５のに接続されたノズル６０が露出するとともに、消火栓弁３の開閉レバー３ａが露出する。
【００２２】
消火器扉２６は、前面パネル２１に対して、左側方に図示しない回転軸が形成されて横開きに回動する扉であり、前傾扉１４と同様に、マグネット式で、扉右側のハンドル５８を手前に引くことで開放できる。この消火器扉２６の内側には、消火器の載置板２６ｂが配置され、詳細に説明しないが、現場において消火器が載置される。また、各種配線が接続される端子箱２７が、消火器扉２６の内側で、ホースバケット１２の帯板１２ｃ左側面に設置されている。
【００２３】
前面パネル２１の左側上部は、電気機器取付部とされており、表示灯５５や発信機５６などの電気機器が取り付けられる部分となっている。また、ここでは用いていないが、非常用コンセントや電話ジャックなどを備えてもよく、これらの機器は必要に応じて選択すればよい。これらの機器の交換については、前面パネル２１がフレーム１０に対して着脱作業が容易であることから、前面パネル２１をフレーム１０から取り外して、不良の機器を交換することができる。
【００２４】
この実施形態１における放出点検方法について、図５に基づいて説明する。図５（ａ）は、消火栓装置内の系統を通常状態で概略的に示したものであり、一次側の接続口Ｐから、消火栓弁３、自動調圧弁２、自動調圧弁２の接続部２ａ、ホース５の付根部５ａ、ホースバケット１２内のホース５、ノズル６０となっている。
【００２５】
図５（ｂ）は、放出点検装置７を接続した状態で、図５（ａ）と同様の系統を概略的にしめしたものである。放出点検装置７は、管状体７ｃと、接続部２ａに接続される接続基部７ａを備えるとともに、点検する消火栓装置のノズル６０の種類に応じて適宜選択されるノズル７ｂを備え、また、放出点検装置７から放出される消火剤の放出圧を測定する圧力計８を備えている。
【００２６】
管状体７ｃは、放出点検装置７の点検時の取り扱い易さを考慮して例えば保形ホース又はゴムホース等により形成されている。これにより、接続部２ａが多少奥まっていても、圧力計８等を外部に出しながら、ノズル７ｂから放水することができる。さらに、この放出点検装置７は、ノズル７ｂからの放水に対して消火栓装置における接続部２ａから消火用ホース５の放出用ノズル６０に至る流路を流れる消火水に生じる圧力損失と同等の圧力損失を生じさせる如く構成されている。具体的には、図示は省略するが、圧力調整手段、例えばオリフィスを放出点検装置７内の流路中に備えている。なお、放出点検装置７のノズル７ｂとしては、点検の際に消火栓装置のノズル６０を移設して接続してもよい。
【００２７】
つぎに、放出点検装置７を用いて実施する消火栓装置の放出点検方法を説明する。
【００２８】
行程１：消火栓装置のホース付根部５ａを接続部２ａから取り外し、放出点検装置７の接続基部７ａを、接続部２ａに接続する。
【００２９】
行程２：あらかじめ、点検する消火栓装置のノズル６０の種類に応じて適宜選択したノズル７ｂに接続しておくか、あるいは消火栓装置のノズル６０自体を消火用ホース５から取り外して放出点検装置７のノズル７ｂとして接続する。
【００３０】
行程３：消火栓装置の消火栓弁３を開放状態にする。
【００３１】
行程４：放出点検装置７より消火水を放出し、その放出圧力を圧力計８により計測して、放出圧力が所定の値を満たしているかを点検する。
【００３２】
このような点検を行うことにより、消火栓装置におけるその一次側の構成、すなわち、消火栓弁３、自動調圧弁２及びこれらを連結する配管が、さらにはノズル６０を放出点検装置７に移設して点検を行った場合にはノズル６０が所定の機能及び性能を保持していることを放出圧力を測定することにより点検することができる。
【００３３】
以上のように、この実施形態では、消火栓弁３と、消火栓弁３の二次側に設けられ、先端部にノズル６０を有する消火用ホース５とを備えた消火栓装置であって、消火栓弁３の二次側に、消火用ホース５の付根部５ａが接続される接続部２ａを有し、接続部２ａから消火用ホース５の付根部５ａを外すとともに、接続部２ａに放出点検装置７を接続し、放出点検装置７により消火栓装置の放出点検を行うものである。
【００３４】
そのため、  接続部２ａにおいて、消火用ホース５を切り離し、そこに放出点検装置７を接続することで、簡単な構成で簡便な放出点検を行うことができる。このとき、特別な機器を使用しないので、余分なスペースを使わず、コストアップにもならない。
【００３５】
実施の形態２
つぎに、実施形態２について説明するが、消火栓装置の構成としては、ほぼ実施形態１と同様であり、その説明を省略する。
【００３６】
図６は、図５と同様の実施形態２の消火栓装置内の系統を、放出点検装置７１を接続した状態で概略的に示したものである。そして、この実施形態２に関する実施形態１との違いについては、図６に示されているように、付根部５ａからホースバケット１２に引き込まれるホース５の間に、接続部２ａと同様のマチノ継手等を用いる着脱部５ｂ、ｃを設けたものである。
【００３７】
放出点検装置７１は、管状体７１ｃと、着脱部２ｂに接続される接続基部７１ａを備えるとともに、点検する消火栓装置のノズル６０の種類に応じて適宜選択されるノズル７１ｂを備え、また、放出点検装置７１から放出される消火剤の放出圧を測定する圧力計８を備えている。
【００３８】
管状体７１ｃは、実施形態１の放出点検装置７と異なり、直管等により形成されている。これは、着脱部５ｂ、ｃの位置をなるべくホースバケット１２側とすることで、ホース５の柔軟性を利用して取り外した着脱部５ｂを開口に引き出すことができ、そこへ放出点検装置７１を接続することができる。したがって、圧力計８等を外部に出しながら、ノズル７１ｂから放水することができる。そして、放出点検装置７と同様、同等の圧力損失を生じさせる如く構成されている。なお、放出点検装置７１のノズル７１ｂとしては、点検の際に消火栓装置のノズル６０を移設して接続してもよい。
【００３９】
つぎに、放出点検装置７１を用いて実施する消火栓装置の放出点検方法を説明する。
【００４０】
行程１：消火栓装置のホース５の着脱部５ｂ、ｃを切り離し、着脱部５ｂを引き出して放出点検装置７１の接続基部７１ａを、着脱部５ｂに接続する。
【００４１】
行程２：あらかじめ、点検する消火栓装置のノズル６０の種類に応じて適宜選択したノズル７１ｂに接続しておくか、あるいは消火栓装置のノズル６０自体を消火用ホース５から取り外して放出点検装置７１のノズル７１ｂとして接続する。
【００４２】
行程３：消火栓装置の消火栓弁３を開放状態にする。
【００４３】
行程４：放出点検装置７１より消火水を放出し、その放出圧力を圧力計８により計測して、放出圧力が所定の値を満たしているかを点検する。
【００４４】
実施形態１と同様、消火栓装置におけるその一次側の構成、すなわち、消火栓弁３、自動調圧弁２及びこれらを連結する配管が、さらにはノズル６０を放出点検装置７１に移設して点検を行った場合にはノズル６０が所定の機能及び性能を保持していることを放出圧力を測定することにより点検することができる。
【００４５】
以上のように、この実施形態では、消火栓弁３と、消火栓弁３の二次側に設けられ、先端部にノズル６０を有する消火用ホース５とを備えた消火栓装置であって、消火栓弁３の二次側から消火用ホース５が収納されているホースバケット１２の間のホース５に着脱部５ｂ、ｃを設けて、着脱部５ｂ、ｃにおいて、ホースバケット１２側の消火用ホース５を外すとともに、着脱部５ｂに放出点検装置７１を接続し、放出点検装置７１により消火栓装置の放出点検を行うものである。
【００４６】
そのため、着脱部５ｂ、ｃにおいて、消火用ホース５を切り離し、そこに放出点検装置７１を接続することで、簡単な構成で簡便な放出点検を行うことができる。このとき、特別な機器を使用しないので、余分なスペースを使わず、コストアップにもならない。
【図面の簡単な説明】
【００４７】
【図１】この発明を利用する実施形態１の正面図。
【図２】図１の平面図。
【図３】図１の側面図。
【図４】図１のフレームの形状を概略的に示す斜視図。
【図５】図１の概略的な系統図。
【図６】実施形態２の概略的な系統図。
【符号の説明】
【００４８】
２ａ  接続部
３    消火栓弁
５    ホース
５ｂ、ｃ  着脱部
７、７１  放出点検装置
【図１】
2007275479.tif 000003
【図２】
2007275479.tif 000004
【図３】
2007275479.tif 000005
【図４】
2007275479.tif 000006
【図５】
2007275479.tif 000007
【図６】
2007275479.tif 000008